(57)【要約】      （修正有）【課題】洗剤などの主として液状の内容液を収容する容器に装着する注出キャップを備  えた注出容器ならびに該容器内の液状物を、注出キャップと詰替用の袋状容器の係合を液漏れのない状態で容易に行うことができるようにした、注出容器とその詰替用の袋状容器を提供する。【解決手段】  容器の口部に装着する注出キャップ部と、該注出キャップ部上に立設して計量キャップを装着する外環壁と、前記注出キャップ部に仕切壁を隔て設けた注出筒とを有してなる注出容器において、前記注出筒が、先端を尖部となし、該尖部を頂点として内側に湾曲させた傾斜状に形成されてなることを特徴とする詰替用の袋状容器との係合を容易にした注出容器、ならびに該袋状容器の開口部の内径は前記注出キャップの注出筒の外径よりも大であって、前記開口部を前記注出筒に覆い被せた時に注出筒基端部近傍で係止できる内径であることを特徴とする詰替用袋状容器。【選択図】    図１
2006182359.tif 000002
【特許請求の範囲】
【請求項１】
容器の口部に装着する注出キャップ部と、該注出キャップ部上に立設して計量キャップ
を装着する外環壁と、前記注出キャップ部に仕切壁を隔て設けた注出筒とを有してなる注
出容器において、前記注出筒が、先端を尖部となし、該尖部を頂点として内側に湾曲させ
た傾斜状に形成されてなることを特徴とする詰替用の袋状容器との係合を容易にした注出
容器。
【請求項２】
前記注出筒の外周面には、詰替用の袋状容器の開口部の抜けを防止するための凸部が形
成されてなる請求項１記載の注出容器。
【請求項３】
前記注出筒に連なる前記仕切壁に詰替用の袋状容器の開口部を挟み保持するためのクリ
ップを設けた請求項１または２記載の注出容器。
【請求項４】
前記注出筒に連なる前記仕切壁に１以上の孔を開け、前記仕切壁内外に流体を流通自在
にした請求項１ないし３のいずれか１項記載の記載の注出容器。
【請求項５】
請求項１記載の注出容器に対する詰替用の袋状容器であって、該袋状容器の開口部の内
径は前記注出キャップの注出筒の外径よりも大であって、前記開口部を前記注出筒に覆い
被せた時に注出筒基端部近傍で係止できる内径であることを特徴とする詰替用袋状容器。
【請求項６】
前記詰替用袋状容器の前記開口部の先端部における内径を構成するシール面をラッパ状
に形成した請求項５記載の詰替用袋状容器。
【請求項７】
前記詰替用袋状容器の前記開口部の先端部を内側に湾曲させて形成した請求項６記載の
詰替用袋状容器。
【請求項８】
前記開口部の中心軸線よりも前記袋状容器の底側寄りに凸折り目を付けると共に反底側
寄りに凹折り目を付けてなり、前記注出筒に前記開口部を覆い被せる際、最初に前記ノズ
ルにおける前記凹折り目と底側端部との間を開口させ、次いで前記開口部における反底側
端部と前記底側端部との間を開口させるようにした請求項６または７記載の詰替用袋状容
器。
【請求項９】
前記開口部の前記底側端部に隣接して凹部を形成し、前記注出筒に前記開口部を覆い被
せる際、前記凹部により前記注出キャップによる干渉を回避出来るようにした請求項６な
いし８のいずれか１項記載の詰替用袋状容器。
【請求項１０】
前記袋状容器の前記開口部より下方のシール形状が、前記注出容器の胴部の形状に合わ
せた形状とされている請求項５ないし９のいずれか１項記載の詰替用袋状容器。
【請求項１１】
前記袋状容器の胴部上方を折り返した状態で端部をシールし、開口部が下向きになる分
岐型とした請求項６ないし８のいずれか１項記載の詰替用袋状容器。
【発明の詳細な説明】
【技術分野】
【０００１】
本発明は、洗剤、柔軟剤、漂白剤、入浴剤などの主として液状の内容液を収容する容器
に装着する注出キャップを備えた注出容器ならびに該容器内の液状物を消費した後の詰替
用の袋状容器に関するものであって、より詳しくは、内容物の詰め替え時において、注出
キャップと詰替用の袋状容器の係合を液漏れのない状態で容易に行うことができるように
した、注出容器とその詰替用の袋状容器に関する。
【背景技術】
【０００２】
洗剤などの内容液を収容する容器は、液だれを極力抑えるために注出筒を有した注出キ
ャップが装着され、さらに、注出キャップには外蓋を兼ねた計量キャップが装着されてい
る。そして、容器の内容液は、計量キャップにより計量されてから消費される。容器の内
容液が無くなれば、通常、容器に詰替用の袋状容器から内容液を詰め替える。これは、容
器に内容液を詰め替えれば、容器、注出キャップ及び計量キャップを何度でも使用するこ
とが可能であり、その上、詰替用の袋状容器の方が廃棄処分に馴染み且つ安価であること
による。このように、容器に詰替用の袋状容器から内容液を詰め替える技術として、下記
に示すものが知られている。
【０００３】
特許文献１の技術は、図１２に示すように、容器ａの口部ｂに注出キャップｃを装着し
てあり、この注出キャップｃは、キャップ部ｄ上に立設して計量キャップを装着する外環
壁ｅと、キャップ部ｄに仕切壁を隔て設けた注出筒ｆとを有してなり、外環壁ｅ上面に詰
替用の袋状容器ｇの位置決め用の切欠を設けている。そして、容器ａに袋状容器ｇの洗剤
などの内容液を詰め替えるには、まず、正立状態の袋状容器ｇを開封し、開口注出口ｈを
形成し、その開口注出口ｈに容器ａの口部ｂに装着された注出キャップｃの注出筒ｆを、
その切欠にて位置決めして差し込み、その状態で容器ａを正立状態に、袋状容器ｇを倒立
状態となるように回転させ、袋状容器ｇの内容液を注出筒ｆを通し容器ａに詰め替えるよ
うに設計されている。
【０００４】
特許文献２の技術は、図１３に示すように、容器ａの口部ｂに注出キャップｃを装着し
て、さらに注出キャップｃに計量キャップｉを装着しこの計量キャップｉに補助注出部材
ｊを弾設してある。そして、容器ａに袋状容器の洗剤などの内容液を詰め替えるには、ま
ず、正立状態の容器ａの口部ｂから計量キャップｉと共に補助注出部材ｊを外し、さらに
計量キャップｉから補助注出部材ｊを外す。一方、正立状態の袋状容器を開封し開口注出
口を形成し、その開口注出口に補助注出部材ｊを嵌め、この補助注出部材ｊから注出キャ
ップｃを通して、あるいは直接口部ｂより袋状容器の内容液を容器ａ内に注いで詰め替え
るものである。
【０００５】
特許文献３の技術は、図１４に示すように、容器の口部に注出キャップｃを装着し、こ
の注出キャップｃはキャップ部ｄ上に立設して計量キャップを装着する外環壁ｅと、キャ
ップ部ｄに仕切壁ｋを隔て設けた注出筒ｆとを有してなり、この注出筒ｆの側壁に内外を
連通するスリットｍを設け、内容液の粘度によりこのスリットｍの幅を下側ｍ１より上側
ｍ２の方が広くなるように段階的に形成したものである。そして、容器に袋状容器の洗剤
などの内容液を詰め替えるには、注出筒ｆの幅広の上側スリットｍ２に開封した袋状容器
の開口注出口を挿入して、容器に内容液を注ぎ込むものである。
【０００６】
特許文献４の技術は、図１５に示すように、容器ａの口部ｂにネジｎを螺刻し、同じよ
うに袋状容器ｇの開口注出口にも螺合するネジｏを螺刻して、さらに袋状容器ｇの底にエ
アー抜きシールｐを貼着してある。そして、容器ａに袋状容器ｇの洗剤などの内容液を詰
め替えるには、容器ａの口部ｂに袋状容器ｇの開口注出口をネジ接合し、容器ａを正立状
態に袋状容器ｇを倒立状態にしてから、エアー抜きシールｐを剥がし容器ａに袋状容器ｇ
の内容液を注ぎ込むものである。
【０００７】
【特許文献１】特願平１１−２３６０６８号公報
【特許文献２】特開２０００−１９１００７号公報
【特許文献３】特開２００１−３５４２５３号公報
【特許文献４】特開２００４−１６１２９３号公報
【発明の開示】
【発明が解決しようとする課題】
【０００８】
ところが、特許文献１の技術は、容器ａに袋状容器ｇの内容液を詰め替えるのに、正立
状態の袋状容器ｇの開口注出口ｈに注出キャップｃの注出筒ｆを差し込むから、容器ａは
倒立状態となり、容器２に内容液が少量でも残っていると、余程素速く差し込まない限り
内容液がこぼれ出て、周囲を汚してしまう虞がある。
【０００９】
また、特許文献２の技術は、正立状態の袋状容器の開口注出口に補助注出部材ｊを嵌め
、この補助注出部材ｊから袋状容器の内容液を容器ａに注ぐため、多少詰め替えやすくな
るという有利さはあるものの、計量キャップｉから補助注出部材ｊを外し開口注出口に嵌
める作業があるため補助注出部材ｊを紛失する虞もあり、なおかつ、注出キャップｃある
いは口部ｂに補助注出部材ｊを当てて内容液を容器ａに注ぐため、特に高齢者では手ぶれ
により内容液をこぼす虞がある。
【００１０】
また、特許文献３の技術は、高粘度の内容液を注出キャップｃから溢れさすことなく、
注出キャップｃを通じて容器に注ぎ込み詰め替えるものであるが、手ぶれなどにより内容
液をこぼすことなく、容器ａに袋状容器の内容液を容易に詰め替え得るものではない。
【００１１】
さらに、特許文献４の技術は、容器ａの口部ｂに袋状容器ｇの開口注出口をネジ接合す
る作業過程で、袋状容器ｇ内に空気が入り易く内容液と置換して、内容液が外部にこぼれ
出る虞がある。
【００１２】
以上のように、従来知られた詰替え可能な注出容器は、夫々に詰替え時の係合状態が不
十分であるという問題がある。                                                    
そこで、本発明の目的は、内容液の粘度にかかわりなく、容器内に詰替用の袋状容器か
ら内容液をこぼすことなく、容易且つ速やかにその全量を詰め替えることが出来る注出容
器及びその詰替用の袋状容器を提供することにある。
【課題を解決するための手段】
【００１３】
本発明は、上記目的を達成するために提案されたものであって、下記の構成からなるこ
とを特徴とするものである。
すなわち、本発明によれば、容器の口部に装着する注出キャップ部と、該注出キャップ
部上に立設して計量キャップを装着する外環壁と、前記注出キャップ部に仕切壁を隔て設
けた注出筒とを有してなる注出容器において、前記注出筒が、先端を尖部となし、該尖部
を頂点として内側に湾曲させた傾斜状に形成されてなることを特徴とする詰替用の袋状容
器との係合を容易にした注出容器が提供される。
【００１４】
また、本発明によれば、前記注出筒の外周面には、詰替用の袋状容器の開口部の抜けを
防止するための凸部が形成されてなる上記注出容器が提供される。
【００１５】
また、本発明によれば、前記注出筒に連なる前記仕切壁に詰替用の袋状容器の開口部を
挟み保持するためのクリップを設けた上記注出容器が提供される。
【００１６】
また、本発明によれば、前記注出筒に連なる前記仕切壁に１以上の孔を開け、前記仕切
壁内外に流体を流通自在にした上記注出容器が提供される。
【００１７】
また、本発明によれば、上記注出容器に対する詰替用の袋状容器であって、該袋状容器
の開口部の内径は前記注出キャップの注出筒の外径よりも大であって、前記開口部を前記
注出筒に覆い被せた時に注出筒基端部近傍で係止できる内径であることを特徴とする詰替
用袋状容器が提供される。
【００１８】
また、本発明によれば、前記詰替用袋状容器の前記開口部の先端部における内径を構成
するシール面をラッパ状に形成した上記詰替用袋状容器が提供される。
【００１９】
また、本発明によれば、前記詰替用袋状容器の前記開口部の先端部を内側に湾曲させて
形成した上記詰替用袋状容器が提供される。
【００２０】
また、本発明によれば、前記開口部の中心軸線よりも前記袋状容器の底側寄りに凸折り
目を付けると共に反底側寄りに凹折り目を付けてなり、前記注出筒に前記開口部を覆い被
せる際、最初に前記ノズルにおける前記凹折り目と底側端部との間を開口させ、次いで前
記開口部における反底側端部と前記底側端部との間を開口させるようにした上記詰替用袋
状容器が提供される。
【００２１】
また、本発明によれば、前記開口部の前記底側端部に隣接して凹部を形成し、前記注出
筒に前記開口部を覆い被せる際、前記凹部により前記注出キャップによる干渉を回避出来
るようにした上記詰替用袋状容器が提供される。
【００２２】
また、本発明によれば、前記袋状容器の前記開口部より下方のシール形状が、前記注出
容器の胴部の形状に合わせた形状とされている上記詰替用袋状容器が提供される。
【００２３】
また、本発明によれば、前記袋状容器の胴部上方を折り返した状態で端部をシールし、
開口部が下向きになる分岐型とした上記詰替用袋状容器が提供される。
【発明の効果】
【００２４】
本発明によれば、詰替用の袋状容器のノズルとして機能する開口部を注出キャップの注
出筒の尖部を覆うように差し込むと、この尖部により開口部を押し開いて注出筒を覆うよ
うな状態で安定状態で開口部に装着して、容器内に袋状容器の内容液を注ぎ込み詰め替え
ることが出来る。したがって、内容液の粘度にかかわりなく、容器内に詰替用の袋状容器
から内容液をこぼすことなく、容易且つ速やかにその全量を詰め替えることが出来る。
【００２５】
また、袋状容器の開口部を注出キャップの注出筒の尖部を覆うように差し込んだ後、湾
曲且つ傾斜している注出口により開口部を押し開くようにされるため、上記効果に加えて
、注出筒の湾曲且つ傾斜した注出口により開口部をスムーズに押し開いて注出筒を開口部
に容易に装着することが出来る。
【００２６】
また、袋状容器の開口部を注出キャップの注出筒に装着した後、注出筒の外周面上の凸
部（山成形）により抜けづらくなるので、上記効果に加えて、注出キャップの注出筒から
袋状容器の開口部が外れることによる内容液の漏れがほとんど無くなるという効果が得ら
れる。
【００２７】
また、袋状容器の開口部を注出キャップの注出筒に装着する過程で、クリップにより開
口部先端を挟み保持すれば、注出筒より開口部が抜けづらくなる。したがって、この場合
も、上記効果に加えて、注出キャップの注出筒から袋状容器の開口部が外れることによる
内容液の漏れがほとんど無くなるという効果が得られる。
【００２８】
また、容器内に袋状容器からの内容液を詰め替える過程で、注出キャップの外環壁内の
仕切壁上に内容液が溜まっても、仕切壁に１以上の孔を形成することにより、容器内への
液状物の流入に伴う内部エアーの排気がスムーズに行えるため、液状物の容器内への流入
が素早く行える。
【００２９】
また、開口部の先端部をラッパ状に形成することにより開口部を注出筒に嵌め易くなり
液状物の詰め替え作業がスムーズに行える。
【００３０】
また、開口部の先端部を内側湾曲状にすることにより、開口部の注出筒に対する嵌め易
さが一層優れたものになる。
【００３１】
また、注出筒に開口部を被せる過程で、最初に開口部における凹折り目（谷成形）と袋
状容器の底側端部との間を小さく開口させ、次いで、さらに凹折り目を越えて反底側端部
と底側端部との間を大きく開口させることにより、開口部の開口を２段階に行うことがで
き、開口部を注出筒に応じて開口させることができ、開口部を覆うように被せて装着出来
ない注出キャップの注出筒に対しても、内容液の詰替対応が容易となる。
【００３２】
また、注出筒に開口部を被せる際、底側端部に形成した凹部があることにより注出キャ
ップによる干渉を回避出来る。
【００３３】
さらに、袋状容器の開口部より下方のシール形状を注出容器の胴部の形状に合わせた形
状とすることにより、詰替え操作の際に、詰替え用の袋状容器を注出容器により近付ける
ことが可能になり、詰替え操作がよりスムーズに行える。
【００３４】
また、請求項１１に規定した分岐型の袋状容器においては、倒立状態となるように回転
して内容液を容器に注ぎ込み詰替えをすることが出来るため、上記効果に加えて、注出キ
ャップの注出筒に開口部を覆うように被せて装着する際、開口部から内容液がこぼれる虞
を完全に排除することが可能となる。
【発明を実施するための最良の形態】
【００３５】
以下に、図面を参照して本発明を実施するための最良の形態を説明する。
【実施例１】
【００３６】
図１は本発明の注出キャップ及びその詰替用の袋状容器を容器に装着した状態を示す側
面図、図２は本発明の注出キャップの断面図、図３は本発明の注出キャップの側面図、図
４は本発明の注出キャップの平面図である。図面において、注出キャップ１は、容器２の
口部３に装着するキャップ部４と、このキャップ部４上に立設して上蓋を兼ねる計量キャ
ップ５を装着する外環壁６と、キャップ部４に仕切壁７を隔て設けた注出筒８とを有して
なり、この注出筒８の先端を尖らし、この尖部９を覆うように、図５に示す袋状容器１０
の開口部（ノズル）１１を注出筒８の尖部９に差し込んだ際、この尖部９によりノズル１
１を押し開いて行き、注出筒８に装着可能としたものである。そして、この注出キャップ
１は、容器２の口部３に装着され、さらに注出キャップ自身の外環壁６に計量キャップ５
を装着した状態で使用される。また、詰替え用の袋状容器の開口部より下方のシール形状
６０ｂを注出容器の胴部の形状６０ａに合わせて形成することが好ましい。
【００３７】
前記容器２は、胴部１２に取手１３を有し、内容液を前記計量キャップ５にて計量する
際注ぎ易くしている。したがって、内容液は、主に洗剤、柔軟剤、漂白剤、入浴剤などの
使用量を計量する性質のものであるが、特に限定されるものではない。そして、容器２の
口部３にネジが螺刻されて、注出キャップ１が螺着脱自在に装着される。この容器２の材
質は合成樹脂であり、例示すれば、ポリエチレン、ポリプロピレン、ポリエチレンテレフ
タレートなどである。
【００３８】
前記注出キャップ１のキャップ部４は、天板２０とその外周縁に連なる外筒２１とから
なり、外筒２１の内周面にネジ２２が螺刻され、外周面にすべり止め２３が付けられ、上
述のように、容器２の口部３に螺着脱自在となっている。
【００３９】
前記外環壁６は、キャップ部４の天板２０上に立設し、この外環壁６の外周面にはネジ
２４が螺刻され、前記計量キャップ５が螺着脱自在に装着される。
【００４０】
前記仕切壁７は内筒３０とその下端に連なる傾斜底板３１とからなり、この内筒３０は
上記キャップ部４の外筒２１と相俟って、容器２の口部３を封止する。一方、傾斜底板３
１には前記注出筒８が立設し容器２内と連通し、さらに傾斜底板３１の最深部位及びその
周辺の内筒３０に１以上の孔３２を開け、仕切壁７内外に内容液を流通自在にしている。
この孔３２は、仕切壁内にあふれた液状物を容器内へ送り込むばかりでなく、容器２内に
液状物を流入する際に、流入量に応じた容器内のエアーを排気することにも役立ち、詰替
操作をよりスムーズに行うことができる。したがって、容器２内に前記袋状容器１０から
の内溶液を詰替える過程で、注出キャップ１の外環壁６内の仕切壁７上に内容液が溜まっ
ても、孔３２により仕切壁７を流通し容器２内に流入して、外環壁６から内容液が溢れて
外部にこぼれることがほとんど無くなる。
【００４１】
この注出筒８は、上述のとおり、キャップ部４に仕切壁７を隔て設けられ、その注出筒
８における注出口３３の形状は、前記尖部９を頂点として内側に湾曲させた状態で傾斜さ
せてなるなるものである。この際、尖部９の先端は人手を傷付けるほどには尖らせない方
が良いことは勿論である。この構成によれば、注出キャップ１の注出筒８に袋状容器１０
の開口部１１を覆うように被せて装着する際、開口部１１を注出筒８の尖部９に差し込ん
だ後、さらに開口部１１を押し込めば、湾曲且つ傾斜している注出口３３により開口部１
１をスムーズに押し開いて、注出筒８に開口部１１を容易に装着することが出来る。なお
、注出口３３にはスリット３３ａが設けられ、注出筒８を開口部１１により覆うように被
せて装着出来ない従来型の注出キャップに対しても、内容液の詰替対応を容易に出来るよ
うにしている。
【００４２】
また、この注出筒８は、その外周面に開口部１１の抜けを防止するための、例えばタケ
ノコ形状の凸部３４が設けられ、この凸部３４により注出筒から開口部１１が抜けづらく
なり、注出筒８から開口部１１が外れることによる内容液の漏れがほとんど無くなる。
【００４３】
また、この注出筒８からの開口部１１の抜け防止は、前記仕切壁７に開口部１１を挟み
保持するためのクリップ３５を設け、注出筒８に開口部１１を装着する過程で、クリップ
３５により開口部１１先端を挟み保持して、開口部１１を抜けづらくしてもよい。すなわ
ち、クリップ３５は、注出筒８の外周面を利用して、ノズル１１の先端を挟み込み保持す
るものであり、開口部１１のシール面１１ａと当たるのを避けるため、注出筒８の尖部９
から約４５度及び約１３５度振った位置に２箇所、計４箇所に設けられている。したがっ
て、クリップ３５は、凸部３４の場合と同様に、注出筒８から開口部１１が外れることに
よる内容液の漏れがほとんど無くなる。このクリップ３５は、図示しないが注出筒８の付
け根部に設けても良い。
【００４４】
前記袋状容器１０は、図５に示すように、流体バリアー性の強い材質の２枚のフィルム
４０の外周縁をシールしてなるものであり、内容液を収容する胴体４１と内容液を注出す
る前記開口部１１とからなり、胴体４１の底４２はスタンディングポーズを取れる構造と
なっている。そして、この袋状容器１０の開口部１１の内径Ｒ１は、注出キャップ１の注
出筒６の外径Ｒ２（図３参照）よりも大（Ｒ１＞Ｒ２）であって、開口部１１を開封して
注出筒８を覆うように被せた時に、注出筒の基端部近傍で係止出来る程度の内径にしてい
る。したがって、注出筒８に開口部１１を無理なく装着出来、且つ少なくとも注出筒１１
の外径Ｒ２よりもノズル１１を大きく開いて装着出来るから、その後の内容液の詰替作業
を短時間に行うことが出来る。なお、この袋状容器１０の材質は合成樹脂であり、例示す
れば、ポリエチレン、ポリプロピレンなどである。
【００４５】
また、この開口部１１は、その先端部における内径を構成するシール面１１ａをラッパ
状に形成し、開口部１１を開封した後、このラッパ状開口４３により注出筒８にノズル１
１を被せ易くしているから、注出筒８にノズル１１を短時間で装着できる。
【００４６】
また、この開口部１１は、図５の２点鎖線で示すように、その先端部を内側に湾曲させ
て切断して開封する。この開口部１１先端部の内側湾曲開口４４により、注出筒８に上記
ラッパ状開口４３を被せた後の開口部１１をスムーズに押し広げるから、注出筒８にノズ
ル１１を短時間で装着できる。
【００４７】
さらに、この開口部１１は、図６に示すように、その中心軸線４５よりも袋状容器１０
の底４２側に凸折り目（山成形）４６を付けると共に、反底側に凹折り目（谷成形）４７
を付けてなる。そして、注出筒８に開口部１１を被せる際、最初にこの開口部１１におけ
る凹折り目４７と底４２側端部との間を、凸折り目４６の開口特性並びに凹折り目４７の
閉口特性により、開封すると図７に示すように狭く開口する。その後、さらに開口部１１
を開口する力が働くと、凹折り目４７を越えて反底側端部と底４２側端部との間を、図８
に示すように大きく開口させる。したがって、開口部１１を２段階に開口させ、開口部１
１を必要に応じた開口にして、注出筒８を開口部１１により覆うように被せて装着出来な
い従来型の注出キャップに対しても、内容液の詰替対応を容易に出来るようにしている。
【００４８】
そして、この開口部１１の底４２側端部に隣接して凹部４８を形成し、注出筒８に開口
部１１を被せる際、凹部４８により注出キャップ１のキャップ部４及び外環壁６による干
渉を回避するから、注出筒８にノズル１１を容易に装着できる。
【実施例２】
【００４９】
なお、図９、１０は、図５ないし図８に示す詰替用の袋状容器１０の他の実施例を示す
ものであり、この詰替用の袋状容器１０ａは、その胴体５０上方を折り返した状態で端部
をシールし、開口部が下向きになる分岐型とした構成であり、スタンディングポーズを取
れる構造となっている。この袋状容器１０ａを注出キャップ１の注出筒８に装着するには
、まず、スタンディングポーズの状態で開口部５２の先端部を内側湾曲開口４３を形成す
るように切断し、注出筒８に下方向の分岐型のノズル５１を覆うように被せて装着し、そ
の後袋状容器１０ａを倒立状態となるように回転して内容液を容器２に注ぎ込み詰替をす
る。したがって、この袋状容器１０ａによれば、注出筒８に開口部５１を装着する際、開
口部５１から内容液がこぼれる虞は全くない。
【００５０】
次に、上記構成になる注出キャップ１及びその詰替用の袋状容器１０及び１０ａ（図５
ないし図８及び図９も含む）の使用方法について説明する。
注出キャップ１は内容液が充填された容器２の口部３に螺着され、さらに注出キャップ
１の環状壁６には上蓋を兼ねる計量キャップ５が螺着されている。容器２の内容液を使用
する場合は、注出キャップ１から計量キャップ５を螺脱して、計量キャップ５に注出キャ
ップ１の注出筒８から内容液を必要量注ぎ入れて使う。容器２の内容液をほぼ消費しきっ
たら、容器２に詰替用の袋状容器１０あるいは１０ａから内容液を詰め替える。
【００５１】
この詰替作業は以下の通りである。
まず、図１の状態の容器２の注出キャップ１から計量キャップ５を螺脱し、スタンディ
ングポーズの詰替用の袋状容器１０あるいは１０ａの開口部１１あるいは５２から、それ
らの先端部を内側湾曲開口４４を形成するように切断し開封すると、図７に示すように開
口部１１が狭く開口する。注出キャップ１における注出筒８の尖部９に袋状容器１０の開
口部１１の凸折り目４６、４６間を当て押し込むと、凸折り目４６、４６間を起点として
開口部１１の内側湾曲開口４４、並びに注出筒８の湾曲且つ傾斜している注出口３３によ
り、開口部１１のラッパ状開口４３がスムーズに押し開かれる。その際、開口部１１の両
シール面１１ａを結ぶラインと注出キャップ１の尖部９とスリット３３ａとを結ぶライン
とを合わせて、両シール面１１ａがクリップ３５に当たらないようにする。さらに押し込
むと、図８に示すようにノズル１１を広く開口させる。この際、凹部４８により注出キャ
ップ１のキャップ部４及び外環壁６による干渉を回避するから、注出筒８に開口部１１を
抜け防止の凸部３４を乗り越えて深く装着でき、さらに開口部１１の先端をクリップ３５
により挟み保持させて、ノズル１１を抜けづらくする。
【００５２】
そして、図１１に示すように、袋状容器１０を一気に矢線方向に回転させ倒立状態に保
持して、内容液を開口部１１及び注出筒８を通して容器２内に注ぎ込む。内容液は粘度が
高いものであっても開口部１１が大きく開口しているから閉塞することはなく、短時間に
内容液の詰替ができる。一方、仕切壁７に内容液がこぼれても、傾斜底板３１の最深部位
及びその周辺の内筒３０に開けた１以上の孔３２により、容器２内に直ちに戻り外部にこ
ぼれることがない。袋状容器１０の内容液が無くなったことを確認した後、注出筒８から
袋状容器１０を外し、注出キャップ１に計量キャップ５を螺着すれば、詰替作業は終了す
る。したがって、容器２、注出キャップ１及び計量キャップ５は再利用され、袋状容器１
０は廃棄処分される。
【００５３】
詰替用の袋状容器１０ａの場合も、上記とほぼ同様であり、袋状容器１０の場合より９
０度振った状態で、注出筒８の尖部９に開口部５２を当て押し込み装着する。この装着時
、袋状容器１０ａは正立状態であり、開口部５２から内容液がこぼれる虞が全くない。そ
の後、袋状容器１０ａを倒立状態となるように回転して内容液を容器２に注ぎ込み、詰替
作業を終了させることが出来る。
【００５４】
以上、本発明の実施例１、２を説明したが、具体的な構成はこれに限定されず、本発明
の要旨を逸脱しない範囲での変更は適宜可能であることは理解されるべきである。
【産業上の利用可能性】
【００５５】
本発明の注出容器及びその詰替用の袋状容器は、内容液が低粘度の時は勿論のこと、粘
度が比較的高いものであっても、簡単な操作で、注出容器と詰替用袋状容器との係合が素
早く、かつ、確実に行うことができるため、特に慎重な操作を必要としないで簡単に液状
内容物の詰替え作業を行うことができ、利用可能性が極めて高くなる。
【図面の簡単な説明】
【００５６】
【図１】実施例１に示した注出キャップ及びその詰替用の袋状容器を容器に装着した状態を示す側面図である。
【図２】実施例１に示した注出キャップの断面図である。
【図３】図２の注出キャップの側面図である。
【図４】図２の注出キャップの平面図である。
【図５】実施例１に示した詰替用の袋状容器の正面図である。
【図６】実施例１に示した詰替用の袋状容器における開口部の断面図である。
【図７】実施例１に示した詰替用の袋状容器におけるノズルの開口状態を示す断面図である。
【図８】図７の詰替用の袋状容器における開口部の他の開口状態を示す断面図である。
【図９】実施例２に示した他の詰替用の袋状容器の正面図である。
【図１０】図９の詰替用の袋状容器の側面図である。
【図１１】実施例１で説明した注出キャップ及びその詰替用の袋状容器を使用して容器に内容液を詰め替えている状態を示す側面図である。
【図１２】従来例の詰替容器の側面図である。
【図１３】従来例の詰替容器の斜視図である。
【図１４】従来例の詰替容器の一部を断面した側面図である。
【図１５】従来例の詰替容器の使用状態を示す側面図である。
【符号の説明】
【００５７】
１，ｃ                    注出キャップ
２，ａ                    容器
３，ｂ                    口部
４，ｄ                    キャップ部
５，ｉ                    計量キャップ
６，ｅ                    外環壁
７，ｋ                    仕切壁
８，ｆ                    注出筒
９                        尖部
１０，１０ａ，ｇ          袋状容器
１１，５１，５２          開口部
１１ａ                    シール面
１２                      胴部
１３                      取手
１４                      下部補強用傾斜リブ
２０                      天板
２１                      外筒
２２，ｎ，ｏ              ネジ
２３                      すべり止め
３０                      内筒
【図１】
2006182359.tif 000003
【図２】
2006182359.tif 000004
【図３】
2006182359.tif 000005
【図４】
2006182359.tif 000006
【図５】
2006182359.tif 000007
【図６】
2006182359.tif 000008
【図７】
2006182359.tif 000009
【図８】
2006182359.tif 000010
【図９】
2006182359.tif 000011
【図１０】
2006182359.tif 000012
【図１１】
2006182359.tif 000013
【図１２】
2006182359.tif 000014
【図１３】
2006182359.tif 000015
【図１４】
2006182359.tif 000016
【図１５】
2006182359.tif 000017